(57)【要約】【課題】表示装置を固定したまま、アンテナの指向性を制御できるようにすることを目的とする。【解決手段】チューナ装置を収容した装置本体１と、この装置本体１に取り付けられ前記チューナ装置に接続するアンテナ装置４とを有し、前記アンテナ装置４は、給電部を中心に伸縮可能な導体部８、９と、この導体部８、９に直交するように形成された長さの異なる複数の導体パターン８ｂ〜８ｅ、９ｂ〜９ｅとを備え、前記導体部８、９を伸縮させて導体部８、９に電気的に接続される導体パターン８ｂ〜８ｅ、９ｂ〜９ｅを切り替えることにより、アンテナ装置の指向性を変化させるように構成した。【選択図】図３
2012161053.tif 000002
【特許請求の範囲】
【請求項１】
チューナ装置を収容した装置本体と、この装置本体に取り付けられ前記チューナ装置に接続するアンテナ装置とを有し、前記アンテナ装置は、給電部を中心に伸縮可能な導体部と、この導体部に直交するように形成された長さの異なる複数の導体パターンとを備え、前記導体部を伸縮させて導体部に電気的に接続される導体パターンを切り替えることにより、アンテナ装置の指向性を変化させるように構成したことを特徴とする表示装置。
【発明の詳細な説明】
【技術分野】
【０００１】
本発明はアンテナ装置を備えた表示装置に関する。
【背景技術】
【０００２】
地上波デジタル放送等を受信可能で、携帯可能な表示装置が普及してきている。これらの表示装置においては、装置を構成する筐体の内側あるいは外側に、放送電波を受信するアンテナを装備する必要がある。特に、高感度な受信を実現する方法として、複数のアンテナを備えるダイバーシティ方式が用いられる。また、複数のアンテナをどのような形状にしてどのように装備するかは、様々な取組みがなされている（例えば、特許文献１参照）。
【先行技術文献】
【特許文献】
【０００３】
【特許文献１】特開２００８−１２４８６５号公報
【発明の概要】
【発明が解決しようとする課題】
【０００４】
このような表示装置においては、様々な設置条件において受信感度が高いことが好ましいが、このためには様々な使用環境のもとで表示装置を固定し、アンテナの指向性を制御する必要がある。
【０００５】
本発明はこのような現状に鑑みなされたもので、表示装置を固定したまま、アンテナの指向性を制御できるようにすることを目的とする。
【課題を解決するための手段】
【０００６】
上記目的を達成するため、本発明は、チューナ装置を収容した装置本体と、この装置本体に取り付けられ前記チューナ装置に接続するアンテナ装置とを有し、前記アンテナ装置は、給電部を中心に伸縮可能な導体部と、この導体部に直交するように形成された長さの異なる複数の導体パターンとを備え、前記導体部を伸縮させて導体部に電気的に接続される導体パターンを切り替えることにより、アンテナ装置の指向性を変化させるように構成したことを特徴とする。
【発明の効果】
【０００７】
本発明によれば、アンテナ装置において、給電部を中心に伸縮可能な導体部と、この導体部に直交するように形成された長さの異なる複数の導体パターンとを備え、前記導体部を伸縮させて導体部に電気的に接続される導体パターンを切り替えることにより、アンテナ装置の指向性を変化させるように構成したことにより、表示装置を固定したまま、アンテナ装置の指向性を制御することができ、アンテナ装置を内蔵した表示装置の受信状況を改善することができる。
【図面の簡単な説明】
【０００８】
【図１】本発明の一実施の形態による表示装置を示す斜視図
【図２】同じく側面図
【図３】同表示装置のアンテナ装置を示す斜視図
【図４】同じくアンテナ装置のダイポールアンテナの構成を示す平面図
【図５】本発明において、アンテナ装置の導体パターンを切り替えた状態を示す概略図
【図６】図５（ａ）、（ｂ）、（ｃ）に対応した指向性の変化の例を示す放射パターン図
【発明を実施するための形態】
【０００９】
本発明の一実施の形態に係る表示装置について、図面を用いて説明する。
【００１０】
図１は本発明の一実施の形態による表示装置について、背面側から見た外観を示す斜視図、図２は側面側から見た平面図である。
【００１１】
図１、図２に示すように、表示装置は、チューナ装置や映像信号処理回路、電源などの回路ブロックが内蔵された装置本体１と、この装置本体１に支持部材２を介して取り付けられた液晶表示装置などのディスプレイ装置３と、前記装置本体１に回動可能に取り付けられ前記チューナ装置に接続されるアンテナ装置４とから構成されている。
【００１２】
前記装置本体１は、樹脂材料からなる外装筐体内に、地上デジタル放送などを受信するチューナ装置や映像信号処理回路、電源などの回路ブロック（図示せず）を収容することにより構成されている。この装置本体１は、アンテナ装置４が受信する地上デジタル放送などの放送電波に基づく電気信号がチューナ装置に伝送され、チューナ装置において所望の映像信号を取り出した後、映像信号処理回路において、γ補正などの信号処理を行うとともに、ディスプレイ装置３に画像を表示するための駆動信号を生成する。ディスプレイ装置３においては、前記装置本体１から送られてくる駆動信号に基づいて、表示駆動動作を行う。また、音声は、装置本体１に搭載された音声回路を通して、スピーカより出力される。
【００１３】
図３は、アンテナ装置４を説明するための図で、装置本体１の裏面側から見た状態を示している。アンテナ装置４は、アクリル樹脂などからなる絶縁性の基板５内に、銅等の導体によるダイポールアンテナ６を形成することにより構成されている。このダイポールアンテナ６は、例えば地上デジタル放送帯（４７３ＭＨｚ〜７６７ＭＨｚ）を所望の使用帯域とするアンテナである。また、ダイポールアンテナ６の中央部には、チューナ装置のアンテナ入力部に接続される給電部７が設けられている。さらに、ダイポールアンテナ６は、給電部７を中心にして、導体部８、９が伸縮可能な構成で、アンテナ装置４の端部に露出したレバー１０をスライドさせることにより、ダイポールアンテナ６の導体部８、９を伸縮させることができる。また、導体部８、９の先端部には、それぞれ接続部８ａ、９ａが設けられている。
【００１４】
図４は、ダイポールアンテナ６の詳細構成を示す図である。ダイポールアンテナ６は、伸縮可能な導体部８、９に直交するように長さの異なる複数の導体パターン８ｂ〜８ｅ、９ｂ〜９ｅが形成されている。すなわち、本発明におけるアンテナ装置４においては、ダイポールアンテナ６の導体部８、９を伸縮させて、接続部８ａ、９ａと電気的に接続させる導体パターン８ｂ〜８ｅ、９ｂ〜９ｅを選択して切り替えることにより、ダイポールアンテナ６の指向性を変えることができるものである。
【００１５】
ここで、導体部８、９に対して直交するように設けられる導体パターン８ｂ〜８ｅ、９ｂ〜９ｅのそれぞれの長さは、導体部８、９を伸縮させることにより変化する導体部８、９の長さに対応するように設定されている。すなわち、導体部８、９において、最も導体部８、９が長い状態から長さａの分短くした地点では、長さａの導体パターン８ｂが設けられているとともに、その地点において、接続部８ａが導体パターン８ｂと電気的に接続される。同様にして、長さｂの分短くした地点では、長さｂの導体パターン８ｃが設けられているとともに、その地点において、接続部８ａが導体パターン８ｃと電気的に接続され、長さｃの分短くした地点では、長さｃの導体パターン８ｄが設けられているとともに、その地点において、接続部８ａが導体パターン８ｄと電気的に接続され、長さｄの分短くした地点では、長さｄの導体パターン８ｅが設けられているとともに、その地点において、接続部８ａが導体パターン８ｅと電気的に接続される。
【００１６】
図５（ａ）、（ｂ）、（ｃ）は、導体部８側を伸縮させた場合のダイポールアンテナ６の状態を示す図で、図６は、それぞれ図５（ａ）、（ｂ）、（ｃ）の状態とした場合のダイポールアンテナ６の指向性の放射パターン例を示す図である。
【００１７】
図５（ａ）、（ｂ）、（ｃ）に示すように、ダイポールアンテナ６の導体部８を短くして、接続部８ａに電気的に接続される導体パターン８ｂ〜８ｅを切り替えることにより、図６のＡ、Ｂ、Ｃに示すように、ダイポールアンテナ６の指向性を変化させることができる。なお、この図５、図６の例では、導体部８側のみ伸縮させる場合の例のみを示しているが、導体部９も同様に伸縮させることにより、ダイポールアンテナ６の指向性を変化させることができる。
【００１８】
以上説明したように本発明による表示装置は、アンテナ装置において、給電部を中心に伸縮可能な導体部と、この導体部に直交するように形成された長さの異なる複数の導体パターンとを備え、前記導体部を伸縮させて導体部に電気的に接続される導体パターンを切り替えることにより、アンテナ装置の指向性を変化させるように構成したことにより、表示装置を固定したまま、アンテナ装置の指向性を制御することができ、アンテナ装置を内蔵した表示装置の受信状況を改善することができる。
【産業上の利用可能性】
【００１９】
以上のように本発明は、アンテナ装置を内蔵した表示装置の受信状況を改善する上で有用な発明である。
【符号の説明】
【００２０】
１  装置本体
２  支持部材
３  ディスプレイ装置
４  アンテナ装置
５  基板
６  ダイポールアンテナ
７  給電部
８、９  導体部
８ａ、９ａ  接続部
８ｂ、８ｃ、８ｄ、８ｅ、９ｂ、９ｃ、９ｄ、９ｅ  導体パターン
【図１】
2012161053.tif 000003
【図２】
2012161053.tif 000004
【図３】
2012161053.tif 000005
【図４】
2012161053.tif 000006
【図５】
2012161053.tif 000007
【図６】
2012161053.tif 000008